(57)【要約】  コンテンツのオートネーミングを行う方法は、コンテンツに対するオートネーミング命令を受信する段階と、コンテンツに係わる少なくとも１つのオートネーミング結果を得るために、異なるコンテンツタイプによって異なるパラメータを使用して、コンテンツのオートネーミングを行う段階と、オートネーミング結果をディスプレイする段階と、を含む。
2015522863.tif 000002
【特許請求の範囲】
【請求項１】
コンテンツのオートネーミングを行う方法において、
前記コンテンツに対するオートネーミング命令を受信する段階と、
前記コンテンツに係わる少なくとも１つのオートネーミング結果を得るために、異なるパラメータを使用して、前記コンテンツのオートネーミングを行う段階と、
前記少なくとも１つのオートネーミング結果をディスプレイする段階と、を含むコンテンツのオートネーミング方法。
【請求項２】
前記オートネーミング命令を受信する段階は、コンテンツプロセスが要請されるときに遂行され、前記コンテンツプロセスは、コンテンツ生成プロセス、コンテンツ伝送プロセス及びコンテンツ保存プロセスのうち少なくとも一つを含むことを特徴とする請求項１に記載のコンテンツのオートネーミング方法。
【請求項３】
前記コンテンツのオートネーミングを行う段階は、
前記要請されたコンテンツプロセスに対応する前記コンテンツの所定状況情報を使用して、前記オートネーミングを行う段階を含むことを特徴とする請求項２に記載のコンテンツのオートネーミング方法。
【請求項４】
前記方法は、
前記ディスプレイされているオートネーミング結果に対するユーザの自動変更要請に応答し、前記オートネーミングを自動的に再遂行する段階をさらに含むことを特徴とする請求項１に記載のコンテンツのオートネーミング方法。
【請求項５】
前記方法は、
前記ディスプレイされているオートネーミング結果に係わる指示子をディスプレイし、前記指示子は、前記ディスプレイされているオートネーミング結果を自動的に変更するためのオプションを示す段階と、
前記指示子を介して入力されるユーザ入力情報によって、前記コンテンツのオートネーミングを自動的に再遂行する段階と、をさらに含むことを特徴とする請求項１に記載のコンテンツのオートネーミング方法。
【請求項６】
前記コンテンツのオートネーミングを自動的に再遂行する段階は、
パラメータを得るための変更条件でもって、前記オートネーミングを自動的に再遂行する段階を含むことを特徴とする請求項４または５に記載のコンテンツのオートネーミング方法。
【請求項７】
前記方法は、
前記ディスプレイされているオートネーミング結果に対するユーザの手動変更要請に応答し、前記ユーザ入力情報に対応する前記ディスプレイされているオートネーミング結果を変更する段階をさらに含むことを特徴とする請求項４または５に記載のコンテンツのオートネーミング方法。
【請求項８】
前記方法は、
前記ディスプレイされているオートネーミング結果に対するユーザの手動変更要請に応答し、前記オートネーミング結果を、前記ユーザ入力情報に変更する段階をさらに含むことを特徴とする請求項１に記載のコンテンツのオートネーミング方法。
【請求項９】
前記コンテンツのオートネーミングを行う段階は、
前記コンテンツのタイプによって決定されたパラメータを使用して、コンテンツプロセスに基づいた前記コンテンツに係わる推論情報を得る段階と、
前記推論情報に基づいて、前記コンテンツのオートネーミングを行う段階と、を含み、
前記コンテンツプロセスは、コンテンツ生成プロセス、コンテンツ伝送プロセス、コンテンツ保存プロセスのうち少なくとも一つを含み、
前記パラメータは、前記コンテンツタイプによる状況認知モデルに基づいて決定されることを特徴とする請求項１に記載のコンテンツのオートネーミング方法。
【請求項１０】
前記推論情報を得る段階は、
前記決定された状況認識モデル、及び前記コンテンツに対して要求されたコンテンツプロセスに基づいて、前記コンテンツの状況情報を得る段階と、
前記コンテンツの前記状況情報を融合し、前記推論情報を得る段階と、を含むことを特徴とする請求項９に記載のコンテンツのオートネーミング方法。
【請求項１１】
前記推論情報を得る段階は、
外部機器との通信に基づいて遂行されることを特徴とすることを特徴とする請求項９または１０に記載のコンテンツのオートネーミング方法。
【請求項１２】
前記コンテンツの前記オートネーミング命令が、コンテンツの複数の異なるタイプに対するオートネーミング命令を含めば、
前記コンテンツの前記オートネーミングを行う段階は、前記コンテンツのタイプによって所定パラメータを使用して、前記コンテンツの前記オートネーミングをそれぞれ行う段階を含むことを特徴とする請求項１に記載のコンテンツのオートネーミング方法。
【請求項１３】
前記ディスプレイされているオートネーミング結果が、複数の候補ネーミング情報を含み、
前記方法は、
前記複数の候補ネーミング情報のうち一つを選択する選択信号を受信する段階と、
前記選択信号によって選択された候補オートネーミング情報をディスプレイする段階と、をさらに含むことを特徴とする請求項１に記載のコンテンツのオートネーミング方法。
【請求項１４】
コンテンツのオートネーミングを行う装置において、
前記コンテンツのオートネーミングを行うための少なくとも１つのプログラムと、データとを保存する保存部と、
タッチ基盤ユーザ入力情報を受信し、前記コンテンツのオートネーミング結果をディスプレイするタッチスクリーンと、
オートネーミング命令に基づいて、前記コンテンツに係わる少なくとも１つのオートネーミング結果を得るために、前記保存部に保存された前記少なくとも１つのプログラム及びデータを利用して、前記コンテンツの異なるタイプによって異なるパラメータを使用して、前記コンテンツのオートネーミングを行い、前記オートネーミング結果を、前記タッチスクリーンにディスプレイするプロセッサと、を含むコンテンツのオートネーミングを行う装置。
【請求項１５】
コンテンツのオートネーミング方法を遂行するための命令語を含む一つ以上のプログラムが記録されたコンピュータで読み取り可能な記録媒体において、
前記コンテンツのオートネーミング方法は、
前記コンテンツに対するオートネーミング命令を受信する段階と、
前記コンテンツに係わる少なくとも１つのオートネーミング結果を得るために、異なるコンテンツタイプによる異なるパラメータを使用して、前記コンテンツのオートネーミングを行う段階と、
前記少なくとも１つのオートネーミング結果をディスプレイする段階と、を含むコンピュータで読み取り可能な記録媒体。
【発明の詳細な説明】
【技術分野】
【０００１】
本発明は、コンテンツのオートネーミングを行う方法及びその装置に関する。
【背景技術】
【０００２】
スマートフォン、ハンドヘルドＰＣ（hand-held  personal  computer）、タブレットＰＣ、スマートＴＶ（television）のような装置で保存したり処理したりすることができるコンテンツの量及び種類が増加している。
【発明の概要】
【発明が解決しようとする課題】
【０００３】
従って、ユーザは、多種のコンテンツを保存して管理し難い。例えば、コンテンツのアイテム名称が、コンテンツの詳細な内容を正確に反映することができないとき、ユーザは、コンテンツを再生したりオープンしたりして、各コンテンツのアイテムを確認しなければならないという不都合を感じることになる。
【課題を解決するための手段】
【０００４】
本発明の一つ以上の望ましい実施形態は、ユーザがコンテンツを直観的に識別したり検索したりすることができる名称を容易に生成するためのコンテンツのオートネーミング方法及びその装置、並びにコンピュータで読み取り可能な記録媒体を提供する。
【発明の効果】
【０００５】
本発明によれば、ユーザは、コンテンツを直観的に識別したり検索したりすることを容易に行うことが可能となる。
【図面の簡単な説明】
【０００６】
【図１】望ましい一実施形態による、コンテンツに対するオートネーミングを行う装置と外部機器とを図示するブロック図である。
【図２】図１に図示された保存部に保存されるプログラム及び／または命令語セットを図示するテーブルである。
【図３】望ましい実施形態による、コンテンツのオートネーミングを行う方法のフローチャートである。
【図４】図３の方法でオートネーミングを行うプロセスについて説明するフローチャートである。
【図５】図４のプロセスで決定された基準によって、推論情報を得るプロセスについて説明するフローチャートである。
【図６】望ましい他の実施形態による、コンテンツのオートネーミングを行う方法について説明するフローチャートである。
【図７Ａ】望ましい実施形態による、図１のタッチスクリーンにディスプレイされているオートネーミング結果が変更される場合について説明する画面である。
【図７Ｂ】望ましい実施形態による、図１のタッチスクリーンにディスプレイされているオートネーミング結果が変更される場合について説明する画面である。
【図８】望ましい実施形態による、図１のタッチスクリーンにディスプレイされているオートネーミング結果が変更される場合について説明する画面である。
【図９】コンテンツのアイテムに対して複数の候補名称がディスプレイされて、複数の候補名称のうち一つが選択される場合について説明する画面である。
【図１０】望ましい実施形態による、コンテンツのオートネーミングを行う装置とサーバとの動作について説明するフローチャートである。
【図１１】望ましい他の実施形態による、コンテンツのオートネーミングを行う方法について説明するフローチャートである。
【図１２】望ましい他の実施形態による、コンテンツのオートネーミングを行う方法について説明するフローチャートである。
【図１３】望ましい他の実施形態による、コンテンツのオートネーミングを行う方法について説明するフローチャートである。
【図１４】望ましい他の実施形態による、コンテンツのオートネーミングを行う装置と外部機器とについて説明するブロック図である。
【図１５】図１４に図示された保存部に保存されたソフトウェア及び／または命令語セットの構成例である。
【発明を実施するための形態】
【０００７】
本発明の望ましい実施形態による、コンテンツのオートネーミング方法は、コンテンツに対するオートネーミング命令を受信する段階と、前記コンテンツに係わる少なくとも１つのオートネーミング結果を得るために、互いに異なるコンテンツタイプによって異なるパラメータを使用してオートネーミングを行う段階と、前記少なくとも１つのオートネーミング結果をディスプレイする段階と、を含むことが望ましい。
【０００８】
前記オートネーミング命令を受信する段階は、コンテンツ生成プロセス、コンテンツ伝送プロセス及びコンテンツ保存プロセスのうち少なくとも一つを含むコンテンツプロセスが要請されるときに遂行されることが望ましい。
【０００９】
前記コンテンツのオートネーミングを行う段階は、前記要請されたコンテンツプロセスに対応する前記コンテンツの所定状況情報を使用して、異なるオートネーミングを行う段階を含むことが望ましい。
【００１０】
前記コンテンツのオートネーミング方法は、前記ディスプレイされるオートネーミング結果に対するユーザの自動変更要請に応答し、前記オートネーミングを自動的に再遂行する段階をさらに含むことが望ましい。
【００１１】
前記コンテンツのオートネーミング方法は、前記オートネーミング結果に係わる指示子をディスプレイし、前記指示子は、前記ディスプレイされているオートネーミング結果を自動的に変更するオプションを示す段階と、前記指示子を介して入力されるユーザ入力情報によって、前記コンテンツのオートネーミングを自動的に再遂行する段階をさらに含むことが望ましい。
【００１２】
前記コンテンツのオートネーミングを自動的に再遂行する段階は、パラメータを得るために変更された条件でもって、オートネーミングを自動的に再遂行するのが望ましい。
【００１３】
前記コンテンツのオートネーミング方法は、前記ディスプレイされているオートネーミング結果に対するユーザの手動変更要請に応答し、オートネーミング結果をユーザ入力情報に変更する段階をさらに含むことが望ましい。
【００１４】
前記コンテンツのオートネーミングを行う段階は、前記コンテンツのタイプによって決定されたパラメータを使用して、コンテンツプロセスに基づいた状況に係わる推論情報を得る段階と、前記推論情報に基づいて、前記コンテンツのオートネーミングを行う段階と、を含み、前記コンテンツプロセスは、コンテンツ生成プロセス、コンテンツ伝送プロセス及びコンテンツ保存プロセスのうち少なくとも一つを含むことが望ましい。
前記パラメータは、前記コンテンツタイプによる状況認知モデルに基づいて決定されることが望ましい。
【００１５】
前記推論情報を得る段階は、前記コンテンツに対して要求されたコンテンツプロセス、及び前記決定された状況認知モデルに基づいたコンテンツの状況情報を得る段階と、前記状況情報を融合し、前記推論情報を得る段階と、を含むことが望ましい。
前記推論情報を得る段階は、外部機器との通信に基づいて、前記推論情報を得る段階を含むことが望ましい。
【００１６】
前記コンテンツに対するオートネーミング命令が、複数の異なるタイプのコンテンツに対するオートネーミング命令を含めば、前記コンテンツのオートネーミングを行う段階は、前記コンテンツのタイプによる所定のパラメータを使用して、前記コンテンツのオートネーミングをそれぞれ行う段階を含むことが望ましい。
【００１７】
前記ディスプレイされているオートネーミング結果が、複数の候補ネーミング結果を含み、前記コンテンツに係わるオートネーミング方法は、前記複数の候補ネーミング情報のうち一つを選択するための選択信号を受信する段階と、前記選択信号によって選択された候補オートネーミング情報をディスプレイする段階と、をさらに含むことが望ましい。
【００１８】
本発明の他の望ましい実施形態による、コンテンツのオートネーミングを行う装置は、コンテンツに対するオートネーミングのための少なくとも１つのプログラムとデータとを保存する保存部と、タッチ基盤ユーザ入力情報を受信し、前記コンテンツのオートネーミング結果をディスプレイするタッチスクリーンと、オートネーミング命令に基づいて、前記コンテンツに係わる少なくとも１つのオートネーミング結果を得るために、前記保存部に保存された前記少なくとも１つのプログラム及びデータを利用して、異なるタイプのコンテンツによって異なるパラメータを使用して、前記コンテンツのオートネーミングを行い、前記オートネーミング結果を、前記タッチスクリーンにディスプレイするプロセッサと、を含むことが望ましい。
【００１９】
本発明の他の望ましい実施形態による、コンテンツのオートネーミングを行うための装置は、タッチ基盤ユーザ入力情報を受信し、コンテンツの少なくとも１つのオートネーミング結果をディスプレイするタッチスクリーンと、前記コンテンツの前記オートネーミングを行うために、前記タッチスクリーンを制御し、ユーザインターフェースを提供する少なくとも１つのプロセッサと、前記プロセッサによって実行されるように構成された命令語を含む少なくとも１つのプログラムを保存する保存部と、を含み、前記命令語は、前記コンテンツに対するオートネーミング命令を受信し、前記コンテンツに係わる少なくとも１つのオートネーミング結果を得るために、異なるコンテンツタイプによって異なるパラメータを使用して、前記コンテンツの前記オートネーミングを行い、前記少なくとも１つのオートネーミング結果をディスプレイするように実行されることが望ましい。
【００２０】
本発明の他の望ましい実施形態による、コンテンツのオートネーミング方法を実行する命令語を含む一つ以上のプログラムが記録されたコンピュータで読み取り可能な記録媒体において、前記コンテンツに係わるオートネーミング方法は、コンテンツに対するオートネーミング命令を受信する段階と、前記コンテンツに係わる少なくとも１つのオートネーミング結果を得るために、互いに異なるコンテンツタイプによって異なるパラメータを使用して、オートネーミングを行う段階と、前記少なくとも１つのオートネーミング結果をディスプレイする段階と、を含むことが望ましい。
【００２１】
他の望ましい実施形態によって、コンテンツのオートネーミング方法は、コンテンツタイプによって、前記コンテンツの前記オートネーミングのためのパラメータを決定する段階と、前記コンテンツに対して要求されたコンテンツプロセス、及び前記コンテンツタイプによって決定された前記パラメータに基づいて、前記コンテンツに係わる推論情報を得る段階と、前記推論情報に基づいた前記コンテンツのオートネーミング情報を生成する段階と、を含むことが望ましい。
【００２２】
他の望ましい実施形態によって、コンテンツのオートネーミング装置は、前記コンテンツの前記オートネーミングを行うための命令語を受信するユーザ入力部と、コンテンツタイプによって、前記コンテンツの前記オートネーミングのためのパラメータを決定し、前記決定されたパラメータと、前記コンテンツに対して要求されたコンテンツプロセスと、に基づいて、前記コンテンツに係わる推論情報を得て、前記推論情報に基づいた前記コンテンツのオートネーミング情報を生成する少なくとも１つのプロセッサと、前記パラメータに対応する前記コンテンツに係わる情報を保存する保存部と、を含むことが望ましい。
【００２３】
以下、望ましい実施形態は、当該技術分野で当業者によって容易に具現されるように、添付された図面を参照して詳細に説明する。望ましい実施形態は、ここに記述された望ましい実施形態に制限されるものではなく、多様な形態で具現される。周知の部分に係わる説明は、便宜上省略し、同一の参照符号は、同一の要素を指す。
【００２４】
本発明は、多様な変換を加えることができ、さまざまな実施形態を有することができるが、特定実施形態を図面に例示し、詳細な説明で詳細に説明する。しかし、それは、本発明を特定の実施形態について限定するものではなく、本発明の思想及び技術範囲に含まれる全ての変換、均等物ないし代替物を含むものであると理解されなければならない。本発明の説明において、関連公知技術についての具体的な説明が本発明の要旨を不明にすると判断される場合、その詳細な説明を省略する。
【００２５】
第１、第２のような用語は、多様な構成要素について説明するのに使用されるが、構成要素は、用語によって限定されるものではない。用語は、１つの構成要素を他の構成要素から区別する目的でのみ使用される。
【００２６】
本出願で使用した用語は、単に特定の実施形態について説明するために使用されたものであり、本発明を限定する意図ではない。本出願で使用した用語は、本発明での機能を考慮しながら、可能な限り現在広く使用される一般的な用語を選択したが、それは、当業者の意図、判例または新たな技術の出現などによって異なってくる。また、特定の場合、出願人が任意に選定した用語もあり、その場合、当該発明の説明部分で、詳細にその意味を記載する。従って、本発明で使用される用語は、単純な用語の名称ではない、その用語が有する意味、及び本発明の全般にわたった内容を基に定義されなければならない。
【００２７】
単数の表現は、文脈上明白に取り立てて意味しない限り、複数の表現を含む。例えば、明細書全般で、コンテンツ（content）は、コンテンツ（contents）とに表現される。本出願で、「含む」または「有する」というような用語は、明細書上に記載された特徴、数字、段階、動作、構成要素、部品、またはそれらの組み合わせが存在するということを指定するものであり、一つまたはそれ以上の他の特徴、数字、段階、動作、構成要素、部品、またはそれらの組み合わせの存在または付加の可能性をあらかじめ排除するものではないと理解されなければならない。ここで、使用された用語「及び／または」は、関連する一つ以上の列挙された項目の一つまたは全ての組み合わせを含んでもよい。「少なくとも１つの」のような表現は、エレメントのリストに先行されるとき、エレメントの全体リストを変更するものであり、リストの各エレメントを変更するものではない。
【００２８】
明細書全般で使用される「コンテンツ（content）」は、デジタル形態のイメージ、音声、音響及び文字のような情報を意味する。コンテンツのタイプは、動画、写真、電子文書、電子本及びオーディオなどに分けられることができるが、それらに制限されるものではない。しかし、デジタルコンテンツの場合、さまざまなタイプのコンテンツを１つのコンテンツに結合することが可能であるので、コンテンツタイプは、特定タイプに制限されるものではない。すなわち、ツイッター及びブログのようなソーシャルネットワークサービス基盤のコンテンツ、並びにモバイルメッセンジャー・インターネット電話などのアプリケーション基盤のコンテンツは、多様なタイプのコンテンツを互いに結合することができる環境で制作される。従って、前述の環境で、コンテンツのタイプは、ソーシャルネットワークサービス基盤コンテンツタイプ、またはアプリケーション基盤コンテンツタイプと定義される。
【００２９】
アプリケーション基盤のコンテンツは、例えば、ミニダイアリーアプリケーション、日程管理アプリケーション、電子メールアプリケーション、イメージ管理アプリケーション、ブラウジングアプリケーションなど、コンテンツの生成及び／または保存及び／または伝送を行うことができる多様なアプリケーション基盤のコンテンツをさらに含んでもよい。
【００３０】
明細書全般でコンテンツは、ファイル形態で管理される。従って、コンテンツタイプは、コンテンツ生成時、コンテンツ保存時またはコンテンツ伝送時、拡張子（extension）に基づいて決定される。例えば、コンテンツの拡張子が「ｊｐｇ」である場合、コンテンツタイプは写真であり、拡張子が「ｈｔｍ」である場合、コンテンツタイプは電子メールであり、拡張子が「ａｃ３」であるとき、コンテンツタイプはオーディオであり、拡張子が「ｈｗｐ」であるとき、コンテンツタイプはハングル電子文書であり、拡張子が「ｔｘｔ」であるとき、コンテンツタイプはメモであり、拡張子が「ｍｐｅｇ」であるとき、コンテンツタイプはＭＰＥＧ（moving  picture  experts  group）動画と決定されるが、コンテンツタイプを決定する方式は、前述のところに制限されるものではない。
【００３１】
明細書全般で、コンテンツに対して行われるオートネーミング（auto  naming）は、ユーザがコンテンツを直観的に識別して検索することができる名称をコンテンツに自動に割り当てることを意味する。また、コンテンツのオートネーミングは、コンテンツタイプと、要請されたコンテンツプロセスとによって、異なるパラメータを使用して行われる。コンテンツプロセスは、コンテンツ生成プロセス、コンテンツ伝送プロセス及びコンテンツ保存プロセスを含んでもよいが、それらに制限されるものではない。
【００３２】
前述のコンテンツのオートネーミングは、コンテンツの既存名称を変更するときに使用される。例えば、既生成のコンテンツを他の機器に伝送するとき、オートネーミングは、コンテンツの既存名称を変更するために行われる。そのとき、コンテンツの生成時に使用されたオートネーミングと異なる基準（または、パラメータ）で、コンテンツに対する伝送要請によるオートネーミングが行われる。例えば、コンテンツの生成時及び保存時には、コンテンツを生成及び保存した装置のユーザにより、コンテンツに対するオートネーミングが行われる。一方、コンテンツ伝送時には、コンテンツを受信するユーザにより、コンテンツに対するオートネーミングが行われる。前記コンテンツに対するオートネーミングプロセスは、異なる基準によって遂行される。前述のオートネーミングプロセスは、異なる方法で遂行されると解釈される。
【００３３】
また、アプリケーション・プログラムのようなコンテンツに対して遂行されたオートネーミングによって名称が設定されるとしても、オートネーミングは、設定された名称を変更するために使用されてもよい。アプリケーション・プログラムの名称を変更するときには、アプリケーション・プログラムの属性情報を利用して、アプリケーション・プログラムに対するオートネーミングが行われる。
【００３４】
明細書全般で言及されるオートネーミング結果は、ユーザが直観的に認識することができる自然語で生じる。従って、オートネーミング結果は、オートネーミング情報として表現される。コンテンツに対して遂行されたオートネーミングは、コンテンツに対して遂行されたオートタギング（tagging）、またはコンテンツに対して遂行された自動題目生成とされる。
【００３５】
明細書全般で言及されるオートネーミング命令は、ユーザから直接受信される。オートネーミング命令は、ユーザから、コンテンツの生成要請、コンテンツの保存要請またはコンテンツの伝送要請によって受信される。
【００３６】
明細書全般で言及されるユーザの入力情報は、ユーザのジェスチャ（gesture）による。ユーザのジェスチャは、入力デバイスによって定義される形態を有することができる。すなわち、入力デバイスがタッチスクリーン基盤であるとき、ユーザのジェスチャの例は、タップ（tap）、タッチ・アンド・ホールド（touch  and  hold）、ダブルタップ（double  tap）、ドラッグ（drag）、パニング（panning）、フリック（flick）、ドラッグ・アンド・ドロップ（drag  and  drop）及びスウィープ（sweep）などを含んでもよいが、それらに制限されるものではない。また、ユーザの入力情報は、タッチスクリーン上にディスプレイされている仮想キーボードに基づいて入力される情報を含んでもよい。
【００３７】
タッチスクリーン基盤のユーザのジェスチャは、ユーザの指またはタッチ道具（例えば、スタイラスペン）を利用して遂行される。入力デバイスがカメラ基盤デバイスであるとき、ユーザのジェスチャの例は、カメラを利用してキャプチャされた映像基盤の空間ジェスチャ（space  gesture）を含んでもよい。
【００３８】
入力デバイスが、物理的ボタン、ダイヤル、スライダスイッチ、ジョイスティック、クリックホイールなどを含むとき、ユーザの入力情報は、入力デバイスに対するユーザの物理的な制御によって決定される。
【００３９】
以下、本開示は、添付図面を参照して詳細に説明し、添付図面を参照して説明するにあたり、同一であるか、あるいは対応する構成要素は、同一の図面番号を付し、それらに係わる重複説明は省略する。
【００４０】
図１は、望ましい一実施形態による、コンテンツのオートネーミングを行う装置１００と、外部機器１２０とについて説明するブロック図である。図１を参照すれば、装置１００は、コンテンツの生成、保存、伝送を行うことができ、外部機器１２０と連結が可能な電子機器を含む。電子機器１２０は、例えば、携帯端末（portable  device）、スマートフォン（smart  phone）、スマートＴＶ（television）、ＰＣ（personal  computer）、デスクトップ（desktop）ＰＣ、ノート型パソコン（notebook）、スマートボード（smart  board）、タブレット（tablet）ＰＣ、移動端末機（mobile  device）、ハンドヘルド（handheld）機器またはハンドヘルドコンピュータ、メディアプレイヤ、ＰＤＡ（personal  digital  assistant）、デジタルＣＥ（consumer  electronics）機器を含んでもよい。デジタルＣＥ機器は、ＤＴＶ（digital  television）、ＩＰＴＶ（internet  protocol  television）を含んでもよい。
【００４１】
装置１００は、ユーザ入力部１０１、センシング部１０２、タッチスクリーン（touch  screen）１０３、カメラ１０４、オーディオ入力部１０５、オーディオ出力部１０６、保存部１０７、通信部１０８、ポート１０９、プロセッサ１１０及び電源部１１１を含む。装置１００の構成は、図１に図示されたところに制限されるものではない。
【００４２】
ユーザ入力部１０１は、装置１００の動作を制御するための入力データ（または、制御データ）、及び前述のユーザの入力情報を発生させる。ユーザ入力部１０１は、キーパッド（key  pad）、ドームスイッチ（dome  switch）、マウスを代替するタッチパッド（touch  pad）、ジョグホイール（jog  wheel）、ジョグスイッチ（jog  switch）、ハードウェア（Ｈ／Ｗ）ボタンなどを含んでもよい。
【００４３】
センシング部１０２は、装置１００の位置、ユーザの接触有無、装置１００の方位、装置１００の加速または減速のような、装置１００の現在状態を感知し、装置１００の動作を制御するためのセンシング信号を発する。センシング部１０２は、近接センサを含んでもよい。
【００４４】
近接センサは、物体と物理的な接触なしに、その既設定の検出面に接近する物体、または近傍に存在する物体の有無を、電子系の力または赤外線を利用して、機械的接触なしに検出するセンサをいう。近接センサの例として、透過型光電センサ、直接反射型光電センサ、ミラー反射型光電センサ、高周波発振型近接センサ、静電容量型近接センサ、磁気型近接センサ、赤外線近接センサなどがある。
【００４５】
タッチスクリーン１０３基盤のユーザ入力情報は、ユーザのジェスチャまたはユーザの要請（request）によって発生する。ユーザのジェスチャは、例えば、マルチタッチ、タッチパターン、タッチ面積及びタッチ強度の組み合わせによって、多様な方法で定義される。ユーザの指によるタッチスクリーン１０３のタッチゾーンに対するタッチは、ユーザの身体部位によるタッチとして理解される。
【００４６】
また、タッチスクリーン１０３は、タッチを検出する多様なセンサを含み、多様なセンサは、タッチスクリーン１０３の近接タッチまたはイメージセンサを含んでもよい。タッチスクリーン１０３に含まれるセンサは、ユーザのジェスチャまたはタッチパターンを検出することができる。従って、タッチスクリーン１０３は、タッチスクリーン１０３の近接センサを介して、ユーザ・ジェスチャまたはタッチパターンとして認識されるドラッグ、フリック、タップ、タッチ・アンド・ホールド、ダブルタップ、パニング、スウィープをセンシングして得られた信号を生成することができる。
【００４７】
タッチスクリーン１０３に対するタッチを感知するセンサの一例として、触覚センサがある。触覚センサは、例えば、触覚センサの接触面の粗度、接触物体の硬度、接触地点の温度のような多様な情報を感知することができる。タッチスクリーン１０３に対するタッチは、ポインタがタッチスクリーン１０３をタッチすれば生じる。タッチの例としては、マルチタッチを含んでもよい。タッチスクリーン１０３に対する近接タッチは、ポインタがタッチスクリーン１０３に実際にタッチせず、タッチスクリーン１０３に接近するときに生じる。ポインタは、タッチスクリーン１０３の特定部分をタッチしたり、あるいは近接したりするためのツールである。ポインタの例としては、スタイラスペン、指、指以外の人体部位、または指のように動作するツールなどがある。従って、ポインタは、外部入力デバイスとされる。
【００４８】
タッチスクリーン１０３は、装置１００で処理される情報を出力する。例えば、タッチスクリーン１０３は、タッチスクリーン１０３に含まれたセンシング部１０２を介してセンシングされたユーザのジェスチャ・タッチパターン、ユーザ入力部１０１を介して入力された制御データ、ユーザの入力情報、またはセンシング部１０２を介して感知された信号に応答する画面をディスプレイする。
【００４９】
タッチスクリーン１０３はまた、入力デバイス及び出力デバイスとされる。タッチスクリーン１０３が入力デバイス及び出力デバイスであるとき、タッチスクリーン１０３にディスプレイされる画面は、ＵＩ画面（user  interface）またはＧＵＩ（graphic  user  interface）画面を含む。タッチスクリーン１０３は、再生されているコンテンツの映像をディスプレイし、ユーザ入力情報を受信することができる。また、本発明の望ましい実施形態によって生成されたコンテンツと、コンテンツのオートネーミング結果とをディスプレイすることができる。
【００５０】
タッチスクリーン１０３は、液晶ディスプレイ（liquid  crystal  display）、薄膜トランジスタ液晶ディスプレイ（thin  film  transistor-liquid  crystal  display）、有機発光ダイオード（organic  light-emitting  diode）、フレキシブルディスプレイ（flexible  display）、三次元ディスプレイ（３Ｄ  display）及びＡＭＯＬＥＤ（active-matrix  organic  light-emitting  diode）などを含んでもよいが、それらに制限されるものではない。タッチスクリーン１０３はまた、ディスプレイともされる。タッチスクリーン１０３は、装置１００の具現形態によって、２個以上存在することができる。
【００５１】
カメラ１０４は、画像通話モードまたは撮影モードで、カメラ１０４のイメージセンサによって得られる静止映像または動画などの画像フレームを処理する。そして、処理された画像フレームは、タッチスクリーン１０３に表示される。カメラ１０４で処理された画像フレームは、保存部１０７に保存されるか、あるいは通信部１０８またはポート１０９を介して外部に伝送される。カメラ１０４は、装置１００の構成によって、２個以上が具備される。また、カメラ１０４は、ユーザの空間ジェスチャを認識する入力装置として使用されてもよい。カメラ１０４によって得られる画像フレームは、本発明の望ましい実施形態による、コンテンツ生成要請によって生成されたコンテンツでもある。カメラ１０４に係わる撮影モードで、シャッタボタンがエンターされれば、コンテンツ生成が要請されたと認識される。
【００５２】
オーディオ入力部１０５は、通話モード、録画モードまたは音声認識モードなどで外部の音響信号を入力され、電気的な音声データに変換し、プロセッサ１１０に伝送する。オーディオ入力部１０５は、例えば、マイクロフォンから構成される。オーディオ入力部１０５は、外部の音響信号を入力される過程で生じるノイズを除去するための多様なノイズ除去アルゴリズムを含むように構成される。オーディオ入力部１０５を利用して入力される前記音響信号は、本発明の望ましい実施形態によって生成されるコンテンツや、コンテンツに対するオートネーミングのために入力される自然語基盤のユーザ入力情報でもある。音響信号が自然語基盤のユーザ入力情報であるというのは、音声認識基盤のユーザ入力情報を意味する。オーディオ入力部１０５を介して入力された外部の音響信号は、保存部１０７に保存されるか、あるいは通信部１０８またはポート１０９を介して外部に伝送される。
【００５３】
装置１００とユーザとのインターフェース機能が提供されるか否かということにより、ユーザ入力部１０１、センシング部１０２、タッチスクリーン１０３、カメラ１０４及びオーディオ入力部１０５は、入力デバイスまたは入出力デバイスとされる。例えば、装置１００とユーザとのユーザインターフェース機能が、タッチ認識機能、音声認識機能及び空間ジェスチャ認識機能を含む場合、ユーザ入力部１０１、センシング部１０２、カメラ１０４及びオーディオ入力部１０５は、入力デバイスとされ、タッチスクリーン１０３は、入出力デバイスとされる。
【００５４】
オーディオ出力部１０６は、通話モードまたはオーディオ再生モードなどで外部から受信された音響信号またはオーディオ信号を出力する。オーディオ信号出力部１０６は、スピーカによって構成される。オーディオ出力部１０６は、コンテンツが再生されるとき、再生されるコンテンツにオーディオ信号が含まれていれば、再生されるコンテンツに含まれているオーディオ信号を出力する。オーディオ入力部１０５とオーディオ出力部１０６は、ヘッドセットのように、一体型に構成される。
【００５５】
保存部１０７は、後述するプロセッサ１１０で実行可能なように構成された少なくとも１つのプログラム及び／または命令語セット、並びに資源（resource）を保存する。少なくとも１つのプログラムは、本発明の望ましい実施形態による、コンテンツに対するオートネーミングを行うための少なくとも１つのプログラム、装置１００のオペレーティングシステム・プログラム、装置１００に設定されたアプリケーション、及び装置１００の多様な機能を遂行するためのプログラムを含む。
【００５６】
前記資源は、本発明の望ましい実施形態で述べられるコンテンツに対するオートネーミング時に使用される自然語の情報、各コンテンツタイプによってオートネーミングを行うためのパラメータ情報、電話帳（phone  book）のような個人データベース情報、装置１００のユーザ情報、装置１００に設定されたアプリケーションを運用するのに必要な情報、及び前述の多様な機能を遂行するのに必要なプログラムを含む。コンテンツタイプが写真である場合、オートネーミングのために必要なパラメータ情報は、例えば、時間、位置、及び写真内の客体についての情報を含んでもよい。コンテンツタイプがワード電子文書や電子メールである場合、オートネーミングを行うためのパラメータ情報は、例えば、代表キーワード及び作成者情報を含んでもよい。
【００５７】
保存部１０７は、前記オペレーティングシステム・プログラムを始めとする装置１００の各種機能を遂行するのに必要な少なくとも１つのプログラムを保存する保存部と、本発明の望ましい実施形態による、コンテンツに係わるオートネーミング方法を実行する一つ以上のプログラム、資源及び前記アプリケーションを保存する保存部と、を独立して構成することができる。
【００５８】
保存部１０７は、高速ランダムアクセスメモリ、磁気ディスク保存装置、フラッシュメモリのような揮発性メモリ、または他の揮発性半導体メモリを含んでもよい。
【００５９】
保存部１０７に保存される少なくとも１つのプログラム及び／または命令語セットは、機能によって、複数個のモジュールに分類することができる。
【００６０】
図２は、保存部１０７に保存されるプログラム及び／または命令語セットをモジュール別に分類した例である。図２を参照すれば、保存部１０７は、オペレーティングシステム２０１、通信モジュール２０２、グラフィックモジュール２０３、ＧＰＳ（global  position  system）モジュール、ＵＩ（user  interface）モジュール２０５、センシングモジュール２０６、接触及び動きモジュール２０７、電源モジュール２０８及びアプリケーションモジュール２０９を含むが、それらに制限されるものではない。
【００６１】
図２を参照すれば、アプリケーションモジュール２０９は、コンテンツ再生モジュール２１０、タイマーモジュール２１１、顔認識モジュール２１２、電話帳モジュール２１３、キーワード検出モジュール２１４、カメラモジュール２１５、ＤＭＢ（digital  multimedia  broadcasting）モジュール２１６、オートネーミングモジュール２１７、電話モジュール２１８、日程管理モジュール２１９、電子メールモジュール２２０及びコンテンツ共有モジュール２２１を含むが、それらに制限されるものではない。
【００６２】
オペレーティングシステム２０１は、装置１００の一般的な機能を制御して管理するものであり、装置１００のコンポーネント（component）間の通信を可能にするソフトウェア・コンポーネントを含む。
【００６３】
通信モジュール２０２は、通信部１０８またはポート１０９を介した外部機器１２０との通信を可能にし、通信部１０８またはポート１０９を介して、外部機器１２０から受信されたデータを処理するためのソフトウェア・コンポーネントを含む。本発明の望ましい実施形態によって、通信モジュール２０２は、オートネーミングされたコンテンツを通信部１０８またはポート１０９を介して、外部機器１２０に伝送することができる。また、通信モジュール２０２は、通信部１０８またはポート１０９を介して、外部機器１２０に、コンテンツに対するオートネーミングを要請し、それによって、外部機器１２０から受信されるオートネーミング結果を受信し、タッチスクリーン１０３にディスプレイすることができる。
【００６４】
グラフィックモジュール２０３は、タッチスクリーン１０３にディスプレイされるグラフィックの明るさ調節及びレンダリングのための、ソフトウェア・コンポーネント及びアプリケーションモジュール２０９において、テキストを入力するための仮想キーボード（または、ソフトキーボード）を提供するソフトウェア・コンポーネントを含む。
【００６５】
ＧＰＳモジュール２０４は、装置１００の位置を決定し、決定された位置情報を、位置基盤サービスを提供するアプリケーションに提供するソフトウェア・コンポーネントを含む。例えば、オートネーミングモジュール２１７が動作され、コンテンツに対するオートネーミングが行われる間、位置情報が必要な場合、オートネーミングモジュール２１７は、ＧＰＳモジュール２０４によって提供される位置情報を利用することができる。
【００６６】
ＵＩモジュール２０５は、タッチスクリーン１０３基盤のＵＩ情報を提供するアプリケーションに必要なＵＩを提供するソフトウェア・コンポーネントを含む。
【００６７】
センシングモジュール２０６は、センシング部１０２基盤のセンシング情報を決定し、決定されたセンシング情報基盤のサービスを提供するアプリケーションモジュール２０９に提供するソフトウェア・コンポーネントを含む。
【００６８】
接触及び動きモジュール２０７は、タッチスクリーン１０３基盤のタッチ接触を感知し、タッチに基づいた動きを追跡し、それを必要とするアプリケーションモジュール２０９に提供するソフトウェア・コンポーネントを含む。
【００６９】
電源モジュール２０８は、オペレーティングシステム２０１を使用して、装置１００内のハードウェアコンポーネントへの電源供給を制御し、タッチスクリーン１０３に供給される電源の節電モードを制御するソフトウェア・コンポーネントを含む。
【００７０】
アプリケーションモジュール２０９に含まれるモジュールの機能は、その名称で当業者によって容易に把握されると見られるので、望ましい実施形態に係わるアプリケーションモジュールについて説明する。
【００７１】
装置１００がコンテンツ生成要請、コンテンツ保存要請またはコンテンツ伝送要請に基づいたコンテンツに対するオートネーミング命令を受信することにより、プロセッサ１１０によってオートネーミングモジュール２１７の動作が始まる。それにより、異なるコンテンツタイプによって異なるパラメータを使用してオートネーミングを行うために、オートネーミングモジュール２１７は、コンテンツのタイプを決定し、決定されたコンテンツタイプによって異なるパラメータを使用して、オートネーミングを行うための基準に係わるパラメータを決定する。オートネーミングモジュール２１７は、決定されたパラメータによって動作するためのアプリケーションモジュールから、対応するアプリケーションモジュールを要請する。
【００７２】
例えば、コンテンツが写真であり、決定されたパラメータが、時間、位置、写真の内客体である場合、オートネーミングモジュール２１７は、タイマーモジュール２１１、ＧＰＳモジュール２０５及び顔認識モジュール２１２を使用して、コンテンツが、生成、保存または伝送される時点の時間情報、位置情報、及びコンテンツに含まれた客体についての情報を得る。顔認識モジュール２１２によって、客体についての情報が得られた場合、検出された顔認識結果に対応する人物を、電話帳モジュール２１３で検索することができる。電話帳モジュール２１３で対応する人物が検索されれば、オートネーミングモジュール２１７は、検索された結果に基づいた関係情報を利用して、推論情報を得る。オートネーミングモジュール２１７は、得た推論情報に基づいて、コンテンツに対するオートネーミングを行い、遂行された結果を、グラフィックモジュール２０３を利用して、タッチスクリーン１０３にディスプレイする。
【００７３】
アプリケーションモジュール２０９に含まれるモジュールは、図２に図示されたところに限定されるものではなく、インスタントメッセージングモジュール、画像会議モジュール、イメージ管理モジュール、ブラウジングモジュール、カレンダーモジュール、ウィジェットモジュール、検索モジュール及びワード文書作成モジュールなど多様なモジュールをさらに含むと定義することができる。また、アプリケーションモジュール２０９に含まれるモジュールは、エンジン（engine）とされる。
【００７４】
通信部１０８は、無線インターネット、無線イントラネット、無線電話ネットワーク、無線ＬＡＮ（local  area  network）、Ｗｉ−Ｆｉ（wireless  fidelity））、ＷＦＤ（Ｗｉ−Ｆｉ  direct）、３Ｇ（３  generation）、４Ｇ（４  generation）、ブルートゥース（登録商標（Bluetooth））、赤外線通信（ＩｒＤＡ：infrared  data  association）、ＲＦＩＤ（radio  frequency  identification）、ＵＷＢ（ultra  wideband）、ジグビー（ZigBee）、ＮＦＣ（near  field  communication）のような無線ネットワーク；または有線インターネットのような有線ネットワークを介して、外部機器１２０とデータを送受信することができるように構成される。
【００７５】
通信部１０８は、放送受信モジュール、移動通信モジュール、無線インターネットモジュール、有線インターネットモジュール、近距離通信モジュール及び位置情報モジュールのうち少なくとも一つを含んでもよいが、それらに制限されるものではない。
【００７６】
放送受信モジュールは、放送チャンネルを介して、外部の放送管理サーバ（図示せず）から、放送信号及び／または放送に係わる情報を受信する。放送チャンネルは、衛星チャンネル、地上波チャンネルを含んでもよい。移動通信モジュールは、移動通信網上で、基地局（図示せず）及び外部機器１２０と無線信号を送受信する。無線信号は、音声コール信号、画像通話コール信号または文字／マルチメディアメッセージの送受信による多様な形態のデータを含んでもよい。無線インターネットモジュールは、無線インターネット接続のためのモジュールを意味する。有線インターネットモジュールは、有線インターネット接続のためのモジュールを意味する。
【００７７】
近距離通信モジュールは、近距離通信のためのモジュールをいう。近距離通信技術として、ブルートゥース、ＲＦＩＤ、赤外線通信、ＵＷＢ、ZigBee、ＷＦＤ、ＮＦＣなどが利用される。位置情報モジュールは、装置１００の位置を確認したり得たりするためのモジュールである。一例として、ＧＰＳ基盤位置情報モジュールがある。ＧＰＳ基盤位置情報モジュールは、複数個の人工衛星から位置情報を受信する。位置情報は、緯度及び経度で表示される座標情報を含んでもよい。
【００７８】
ポート１０９は、ＵＳＢ（universal  serial  bus）ポート（図示せず）のようなプラグアンドプレイ（plug  and  play）・インターフェースを利用して、外部機器１２０とデータを送受信することができる。プラグアンドプレイ・インターフェースは、装置１００のプラグに、外部機器１２０が挿入されてプレイされることを許容するモジュールを意味する。
【００７９】
電源部１１１は、装置１００の多様な構成要素に電力を供給する。電源部１１１は、バッテリ及び交流電源のような一つ以上の電源を含む。代案的な実施形態において、装置１００は、電源部１１１を含まず、外部電源提供部（図示せず）と連結される連結部（connection  unit）（図示せず）を含んでもよい。
【００８０】
プロセッサ１１０は、装置１００の全般的な動作を制御するものであり、１以上のプロセッサとされる。プロセッサ１１０が１以上のプロセッサとされるのは、図１の場合、プロセッサ１１０を単一チップ形態として図示したが、装置１００の機能によって、プロセッサ１１０を複数個のプロセッサに分割して運用することができるからである。
【００８１】
プロセッサ１１０は、保存部１０７に保存された、オペレーティングシステム２０１と各種モジュールとを利用して、ユーザ入力部１０１、センシング部１０２、タッチスクリーン１０３、カメラ１０３、オーディオ入力部１０５、オーディオ出力部１０６、保存部１０７、通信部１０８及びポート１０９を全般的に制御することができる。従って、プロセッサ１１０は、制御器やマイクロプロセッサやデジタル信号処理器（digital  signal  processor）などとされる。また、プロセッサ１１０は、オペレーティングシステム２０１とＵＩモジュール２０５とを利用して、ユーザ入力部１０１、センシング部１０２、タッチスクリーン１０３、カメラ１０４及びオーディオ入力部１０５に基づいたＵＩを提供することができる。
【００８２】
プロセッサ１１０は、本発明の望ましい実施形態による、コンテンツに係わるオートネーミング方法に係わる少なくとも１つのプログラムを実行させることができる。プロセッサ１１０は、前記プログラムを保存部１０７から読み取って実行させるか、あるいは通信部１０８を介して連結された外部機器１２０からダウンロードされて実行させることができる。そのとき、外部機器１２０は、アプリケーション提供サーバ（図示せず）またはアプリケーションマーケットサーバとされる。しかし、プロセッサ１１０は、外部機器１２０に保存されているオートネーミングを行う方法に係わる少なくとも１つのプログラムを実行させ、オートネーミング結果を受信し、タッチスクリーン１０３にディスプレイされるように動作することができる。プロセッサ１１０は、装置１００内の各種機能モジュールとプロセッサ１１とのインターフェース機能部を含むと理解される。本発明の望ましい実施形態による、コンテンツに係わるオートネーミング方法に係わるプロセッサ１１０の動作は、後述する図３ないし図１３において、さらに詳細に説明する。
【００８３】
外部機器１２０は、前述のアプリケーション提供サーバまたはアプリケーションマーケットサーバを含んでもよく、後述する図１０でのサーバ（１０００）のように、コンテンツに対するオートネーミング機能を有するクラウドサーバを含んでもよい。装置１００と外部機器１２０は、通信部１０８用で使用される通信方法のうち一つに基づいたネットワークを介して連結される。
【００８４】
図３は、望ましい一実施形態による、オートネーミングを行う方法について説明するフローチャートである。図３の方法は、プロセッサ１１０によって遂行される。
【００８５】
段階Ｓ３０１で、プロセッサ１１０は、ユーザの入力情報によって、オートネーミング命令を受信する。プロセッサ１１０は、保存部１０７に保存されたオートネーミングモジュール２１７をローディングし、オートネーミング機能をスタートする。
【００８６】
それにより、段階Ｓ３０２で、プロセッサ１１０は、オートネーミングが行われるコンテンツのタイプによるパラメータを使用して、コンテンツのオートネーミングを行う。段階Ｓ３０２で行われるオートネーミングは、異なるコンテンツのタイプによって異なるパラメータを使用して行われる。例えば、コンテンツタイプが第１タイプであるならば、プロセッサ１１０は、第１所定パラメータを使用して、コンテンツのオートネーミングを行うことができる。コンテンツタイプが第２タイプであるならば、プロセッサ１１０は、第２所定パラメータを使用して、コンテンツのオートネーミングを行うことができる。異なるパラメータを使用して、コンテンツのオートネーミングは、コンテンツタイプによって決定されたオートネーミング基準によるオートネーミングを含む。異なるパラメータは、異なる方法とされる。オートネーミング基準は、オートネーミングパラメータとされる。
【００８７】
オートネーミング命令は、コンテンツ生成要請、コンテンツ保存要請またはコンテンツ伝送要請によって受信されるかということを判断する。オートネーミング命令がコンテンツ生成要請によって受信されたものであるならば、オートネーミングが行われるコンテンツは、例えば、カメラ１０４によって獲得された写真ファイルにもなる。オートネーミング命令がコンテンツ保存要請によって受信されたものであるならば、オートネーミングが行われるコンテンツは、例えば、コンテンツ共有モジュール２２１を利用して、通信部１０８を介して受信された動画ファイルにもなる。オートネーミング命令がコンテンツ伝送要請に応答して受信されたものであるならば、オートネーミングが行われるコンテンツは、例えば、電子メールモジュール２２０によって、通信部１０８を介して外部に伝送される電子メールファイルにもなる。
【００８８】
図４は、図３の方法でオートネーミングを行うプロセスについて説明するフローチャートである。図４を参照すれば、段階Ｓ４０１で、プロセッサ１１０は、コンテンツタイプによって、オートネーミング基準を決定する。オートネーミング基準は、パラメータに対応する。もし状況認知（context  aware）オートネーミングが行われれば、オートネーミング基準は、コンテンツタイプによって決定されるパラメータに基づいた状況認知モデルを意味することができる。従って、オートネーミング基準は、コンテンツタイプによって互いに異なるのである。
【００８９】
段階Ｓ４０２で、プロセッサ１１０は、決定されたオートネーミング基準によって推論情報（inference  information）を得る。
【００９０】
図５は、図３の方法で決定された基準によって、推論情報を得るプロセスについて説明するフローチャートである。図５は、状況認知モデルを利用した場合である。
【００９１】
例えば、コンテンツがコンテンツ生成プロセスを介して生成され、生成されたコンテンツが写真であるならば、状況認知モデルは、コンテンツ生成時間、コンテンツ生成位置、及びコンテンツに含まれた客体を検出するように決定される。状況認知モデルが決定されれば、段階Ｓ５０１で、プロセッサ１１０は、決定された状況認知モデル及びコンテンツ生成プロセスに基づいて、状況情報を得る。得られた状況情報は、コンテンツ生成時間情報、コンテンツ生成位置情報、及びコンテンツに含まれた客体情報を含む。そのために、プロセッサ１１０は、図２で説明したように、保存部１０７に保存されたアプリケーションモジュールのうち、当該アプリケーションモジュールを駆動させる。生成されたコンテンツがワード電子文書であるならば、得られた状況情報は、代表キーワード情報及び作成者情報を含んでもよいが、それらに制限されるものではない。
【００９２】
検出された時間情報が２０１２年３月１９日であり、検出された位置情報が緯度Ｎ３７．５、軽度Ｅ１２７．５であり、検出された客体情報が息子である場合、プロセッサ１１０は、各情報のアイテムを使用して、ユーザが直観的に認知することができる状況情報を生成する。その場合、状況情報は、コンテンツ生成状況情報とされる。
【００９３】
すなわち、前述の検出情報に基づいて、状況情報を得ることができるデータベースが保存部１０７に保存されており、前記データベースに保存された検出された時間情報が、装置１００の使用される地域に四季があり、３月が春に該当する自然語表現によって表示されれば、プロセッサ１１０は、コンテンツ生成状況情報「春」を得る。また、データベースに保存された検出された位置情報が、緯度Ｎ３７．５、経度Ｅ１２７．５に対応する位置が「果川市莫溪洞に位置した動物園」に対応する自然語表現によって表示されるように定義されれば、プロセッサ１１０は、コンテンツ生成状況情報「動物園」を得る。また、データベースに保存された客体について検出された客体情報が「息子」に該当する自然語表現によって表示されれば、プロセッサ１１０は、コンテンツ生成状況情報「息子」を得る。図５の段階Ｓ５０１は、コンテンツ保存プロセスまたはコンテンツ伝送プロセスで遂行される。
【００９４】
プロセッサ１１０は、「春、動物園及び息子」というコンテンツ生成状況情報を得れば、段階Ｓ５０２で、プロセッサ１１０は、得たコンテンツ生成状況情報を融合（fusion）し、融合された結果と確率的な推論とを使用して推論情報を得る。すなわち、融合された結果によって得られた推論情報は、「春の行楽、動物園、息子」にもなる。
【００９５】
推論情報が得られれば、図４の段階Ｓ４０３で、プロセッサ１１０は、推論情報に基づいて、コンテンツのオートネーミングを行う。オートネーミングは、推論された情報を単純に並べるか、あるいは保存部１０７に、前もって設定された国家言語の文法によって推論された情報を再配列することができる。例えば、オートネーミングは、「息子と共に動物園に春の行楽に行く」という自然語表現で行われる。
【００９６】
オートネーミングが完了すれば、図３の段階Ｓ３０３で、プロセッサ１１０は、タッチスクリーン１０３にオートネーミング結果をディスプレイする。
【００９７】
図６は、望ましい他の実施形態による、コンテンツのオートネーミングを行う方法について説明するフローチャートである。図６は、図３の方法によってディスプレイされているオートネーミング結果に対するユーザの変更要請によって、オートネーミング結果変更機能が変更された場合について説明する。図６の段階Ｓ６０１ないし段階Ｓ６０３は、図３の段階Ｓ３０１ないし段階Ｓ３０３と実質的に類似しているので、それらに係わる説明はここでは行わない。
【００９８】
オートネーミング結果がタッチスクリーン１０３にディスプレイされるとき、ユーザ変更要請が受信されれば、段階Ｓ６０４で、プロセッサ１１０は、タッチスクリーン１０３にディスプレイされているオートネーミング結果を変更する。オートネーミング結果がオートネーミング再遂行によって変更されるとき、状況情報を得る条件、及び推論情報を得る条件が変更される。例えば、状況情報及び推論情報の検索範囲及び検索確率に係わる条件が変更される。
【００９９】
図７Ａ、図７Ｂ及び図８は、タッチスクリーン１０３にディスプレイされているオートネーミング結果が変更される場合について説明する画面である。
【０１００】
図７Ａは、ユーザによって手動で入力される情報によって、オートネーミング結果が変更される場合である。すなわち、タッチスクリーン１０３の画面７１０に図示されているように生成されたコンテンツ７１１のオートネーミング結果７１２がディスプレイされるとき、オートネーミング結果に対する変更要請が受信されれば、プロセッサ１１０は、画面７１０を、画面７２０に図示されているように変更することができる。画面７２０を参照すれば、変更要請によって、オートネーミング結果７１２が、タッチスクリーン１０３にディスプレイされる仮想キーボード７２１からの入力によって変更される状態に変更される。仮想キーボード７２１を利用して、変更を所望する名称がユーザによって入力されれば、コンテンツ７１１のオートネーミング結果７１２は、画面７３０にディスプレイされるオートネーミング結果７３１に変更される。
【０１０１】
図７Ｂは、ユーザが自動的な変更を要請した場合と、手動変更と自動変更とを選択的に要請する場合との画面例である。すなわち、コンテンツ７１１、及びコンテンツ７１１のオートネーミング結果７１２が、画面７４０または画面７７０にディスプレイされ、オートネーミング結果７１２が変更可能であるということを示す指示子７４１または７７１が表示されるならば、表示されている指示子７４１または７７１に基づいた変更要請が受信されれば、プロセッサ１１０は、画面７５０に図示されているように、オートネーミングが再遂行されることを示す映像７５１をディスプレイし、オートネーミングの再遂行のオートネーミング結果７６１をディスプレイする。前述の指示子７４１，７７１は、図示されたところに制限されるものではなく、他の形態でもディスプレイされる。また、画面７５０にディスプレイされているイメージ７５１に係わるガイド情報（図示せず）は、他の内容または他の形態でも提供される。
【０１０２】
タッチスクリーン１０３にディスプレイされている画面７８０に図示されているように指示子７８１，７８２は、オートネーミングを画面７４０，７７０に図示されているように、自動的に再遂行されるか、あるいは図７Ａに画面７２０に図示されているように、ユーザの入力情報によって手動で行われるかということをユーザが選択することができるということを示す。そのようにユーザは、自動的にまたは手動で、画面７８０でオートネーミング結果を選択的に変更することができる。
【０１０３】
図８は、複数のコンテンツに対してオートネーミングを行う場合について説明する。すなわち、画面８１０に図示されているように、多様なタイプのコンテンツがディスプレイされ、画面８２０に図示されたブロック８２１に含まれたコンテンツに対するオートネーミング命令が受信されれば、プロセッサ１１０は、コンテンツの多様なタイプによって異なるパラメータを使用して、コンテンツのオートネーミングを行う。また、オートネーミングは、例えば、コンテンツ伝送状況またはコンテンツ保存状況によって異なる状況情報を使用して行われる。
【０１０４】
異なるタイプのコンテンツによるオートネーミング結果は、画面８３０に図示されているようにディスプレイされる。
【０１０５】
図９は、オートネーミングプロセスによる１つの生成されたコンテンツアイテムに対する複数の候補名称（candidate  name）がディスプレイされ、複数の候補名称のうち一つが選択される場合について説明する画面である。すなわち、画面９１０に図示されているように、オートネーミングプロセスによって生成された、コンテンツ８１１に対する複数の候補名称８１２がディスプレイされ、候補名称８１２から名称ｘ３．ｊｐｇが選択される。それにより、生成されたコンテンツ８１１のオートネーミング結果は、画面９２０に図示されているように、タッチスクリーン１０３上にディスプレイされる。
【０１０６】
図１０は、望ましい他の実施形態による、コンテンツのオートネーミングを行うための装置１００とサーバ１０００との動作について説明するフローチャートである。サーバ１０００は、図１に図示された外部機器１２０に対応する。
【０１０７】
段階Ｓ１００１で、装置１００とサーバ１０００は、互いに連結される。段階Ｓ１００２で、装置１００は、オートネーミング命令を受信する。段階Ｓ１００３で、装置１００は、オートネーミングが行われるコンテンツに係わる情報を検出し、検出された情報、例えば、コンテンツ情報をサーバ１０００に伝送する。サーバ１０００に伝送されるコンテンツ情報は、オートネーミング命令が、コンテンツ生成要請に対する応答であるか、コンテンツ保存要請に対する応答であるか、あるいはコンテンツ伝送要請に対する応答であるかということを示す情報と、コンテンツタイプを示す情報とを含んでもよい。また、サーバ１０００に伝送されるコンテンツ情報は、ユーザ要請に係わる情報、及びオートネーミングを行うためのパラメータ情報を含んでもよい。
【０１０８】
段階Ｓ１００４で、サーバ１０００は、コンテンツ情報を受信する。段階Ｓ１００５で、サーバ１０００は、コンテンツタイプと、受信されたコンテンツ情報とによるパラメータを使用して、コンテンツのオートネーミングを行う。コンテンツのオートネーミングは、前述のように、異なるコンテンツタイプによる異なるパラメータを使用して行われる。段階Ｓ１００６で、サーバ１０００は、オートネーミング結果を装置１００に伝送する。段階Ｓ１００７で、装置１００は、受信されたオートネーミング結果をタッチスクリーン１０３上にディスプレイする。
【０１０９】
図１１は、望ましい他の実施形態による、コンテンツのオートネーミングを行う方法について説明するフローチャートである。図１１は、図６の方法で、オートネーミング変更プロセスについて詳細に説明し、状況認知モデルを使用して、コンテンツに対するオートネーミングを行う場合について説明している。
【０１１０】
すなわち、段階Ｓ１１０１で、コンテンツに対するオートネーミング命令が受信される。段階Ｓ１１０２で、プロセッサ１１０は、コンテンツタイプによって、状況認知モデルを決定する。状況認知モデルは、例えば、コンテンツタイプによるパラメータによって決定されてもよい。
【０１１１】
段階Ｓ１１０３で、プロセッサ１１０は、状況認知モデルを利用して、コンテンツプロセスに基づいた状況に係わる推論情報を得る。コンテンツプロセスの例は、コンテンツ生成プロセス、コンテンツ保存プロセス及びコンテンツ伝送プロセスを含む。段階Ｓ１１０３は、異なるコンテンツタイプによって異なるパラメータを使用して、コンテンツのオートネーミングを行うための推論情報を得る段階を含んでもよい。段階Ｓ１１０４で、プロセッサ１１０は、推論情報に基づいて、コンテンツのオートネーミングを行い、オートネーミング結果を、タッチスクリーン１０３にディスプレイする。
【０１１２】
段階Ｓ１１０５で、ディスプレイされているオートネーミング結果に対する変更要請が受信されるか否かということを判断する。段階Ｓ１１０５で、ディスプレイされているオートネーミング結果に対する変更要請が受信されないと判断されれば、該方法は、段階Ｓ１１０６に進む。段階Ｓ１１０６で、プロセッサ１１０は、ディスプレイされているコンテンツに対するオートネーミング結果に基づいて、コンテンツの名称を設定する。
【０１１３】
しかし、段階Ｓ１１０５で、ディスプレイされているオートネーミング結果に対する変更要請が受信されたと判断されれば、該方法は、段階Ｓ１１０７に進む。プロセッサ１１０は、段階Ｓ１１０７、で変更要請が手動変更要請であるか、あるいは自動変更要請であるかということを判断する。変更要請が手動変更要請であるか、あるいは自動変更要請であるかということは、図７Ａ及び図７Ｂで説明したように、入力されるユーザの入力情報を使用して決定される。
【０１１４】
段階Ｓ１１０７で、変更要請が自動変更要請であると判断されれば、該方法は、段階Ｓ１１０３に進む。段階Ｓ１１０３で、プロセッサ１１０は、状況認知モデルを利用して、コンテンツに対する推論情報を得る過程を再遂行する。そのような場合、推論情報を得るための条件は、前述のところのように変更される。
【０１１５】
段階Ｓ１１０７で、変更要請が手動変更要請であると判断されれば、該方法は、段階Ｓ１１０８に進む。段階Ｓ１１０８で、プロセッサ１１０は、図７Ａに図示されているように、例えば、仮想キーボード７２１を使用して入力された情報を使用して、ディスプレイされているオートネーミング結果を変更する。
【０１１６】
図１２は、望ましい他の実施形態による、コンテンツのオートネーミングを行う方法について説明するフローチャートである。図１２は、図９の画面９１０に図示されているように、複数の候補ネーミング結果がディスプレイされている場合について説明している。図１２の段階Ｓ１２０１ないし段階Ｓ１２０３は、図１１の段階Ｓ１１０１ないし段階Ｓ１１０３と実質的に類似しているので、それらに係わる説明を行わない。
【０１１７】
段階Ｓ１２０４で、推論情報に基づいて、図９の画面９１０に図示されているように複数の候補オートネーミング結果がタッチスクリーン１０３にディスプレイされる。段階Ｓ１２０５で、例えば、タッチスクリーン１０３に対するタッチによって、タッチスクリーン１０３にディスプレイされている複数の候補オートネーミング結果のうち一つを選択する入力情報が受信されれば、該方法は、段階Ｓ１２０６に進む。段階Ｓ１２０６で、コンテンツの名称が選択された候補オートネーミング結果に基づいて、図９の画面９２０に図示されているようにディスプレイされる。
【０１１８】
図１３は、望ましい他の実施形態による、コンテンツのオートネーミングを行う方法について説明するフローチャートである。図１３を参照すれば、段階Ｓ１３０１で、オートネーミング命令が受信される。段階Ｓ１３０２で、プロセッサ１１０は、保存部１０７に保存されたオートネーミングモジュール２１７をローディングして、動作がスタートするように、オートネーミングモジュール２１７を制御する。
【０１１９】
段階Ｓ１３０３で、プロセッサ１１０は、オートネーミングが行われるコンテンツのコンテンツタイプを決定する。段階Ｓ１３０４で、プロセッサ１１０は、決定されたコンテンツタイプによってパラメータを使用して、オートネーミングを行うために、状況認知モデルを決定する。
【０１２０】
段階Ｓ１３０５で、プロセッサ１１０は、決定された状況認知モデルに基づいて、コンテンツのプロセスによる状況情報を獲得する。そのような場合、獲得される状況情報は、ロー（raw）データに該当する。従って、段階Ｓ１３０６で、プロセッサ１１０は、獲得された状況情報を抽象化し（abstracting）、状況情報に対応するメタデータを生成する。
【０１２１】
段階Ｓ１３０７で、プロセッサ１１０は、生成されたメタデータを利用して、推論情報を獲得する。該推論情報は、確率的なメカニズムを使用して獲得される。そのために、プロセッサ１１０は、保存部１０７に、推論情報に対応する推論データベースを保存することができる。
【０１２２】
該推論情報が獲得されれば、該方法は、段階Ｓ１３０８に進む。段階Ｓ１３０８で、プロセッサ１１０は、該推論情報を利用して、コンテンツのオートネーミングを行う。段階Ｓ１３０９で、プロセッサ１１０は、タッチスクリーン１０３上に、オートネーミング結果をディスプレイする。
【０１２３】
段階Ｓ１３１０で、ディスプレイされているオートネーミング結果に対するユーザの確認（confirmation）命令が受信されるか否かということを判断する。段階Ｓ１３１０で、確認命令が受信されたと判断されれば、該方法は、段階Ｓ１３１１に進む。段階Ｓ１３１１で、プロセッサ１１０は、ディスプレイされているオートネーミング結果をコンテンツの名称として適用する。該確認命令は、オートネーミング結果に対する承認命令またはＯＫ命令を意味することができる。しかし、段階Ｓ１３１０で、確認命令が受信されていないと判断されれば、プロセッサ１１０は、段階Ｓ１３０６に戻り、前述の状況認知モデルに基づいた状況情報を獲得する段階から、前記ディスプレイされているオートネーミング結果に対するユーザの確認命令が受信されているか否かということを判断する段階まで再遂行することができる。そのとき、状況認知モデルを駆動するための駆動基準が変更されるか、あるいは決定された状況認知モデルが変更されたりする。駆動基準の変更は、顔認識モジュール２１２の認識率が、例えば、９０％から８０％に変更されることを含んでもよい。決定された状況認知モデルの変更は、時間、位置及び客体に基づいた状況認知モデルを、位置及び客体に基づいた状況認識モデルに変更することを含んでもよい。駆動基準の変更や状況認知モデルの変更は、オートネーミングに係わる基準変更に対応する。
【０１２４】
図１４は、望ましい他の実施形態による、コンテンツのオートネーミングを行うための装置１４００及び外部機器１４６０について説明するブロック図であり、図１５は、図１４の保存部に保存されたソフトウェア及び／または命令語セットを図示するテーブルである。
【０１２５】
図１４を参照すれば、装置１４００は、コンテンツを生成、保存、伝送することができる電子機器を含む。電子機器は、例えば、携帯端末、スマートフォン、スマートＴＶ、ＰＣ、デスクトップＰＣ、ノート型パソコン、スマートボード、タブレットＰＣ、移動端末機、ハンドヘルド機器またはハンドヘルドコンピュータ、メディアプレイヤ、ＰＤＡ、デジタルＣＥ機器を含んでもよい。デジタルＣＥ機器は、ＤＴＶ、ＩＰＴＶを含んでもよい。
【０１２６】
図１４を参照すれば、装置１４００は、ユーザ入力部１４１０、プロセッサ（１４２０、ディスプレイ部１４３０、保存部１４４０及び通信部１４５０を含む。
【０１２７】
ユーザ入力部１４１０は、装置１４００の機能を制御するための入力データ（または、制御データ）、及び前述の入力情報を発生させる。ユーザ入力部１４０１は、前述の物理的ボタン（または、ハードウェアボタン）、ダイヤル、スライダスイッチ、ジョイスティック、クリックホイール、キーパッド、ドームスイッチ、マウスを代替するタッチパッド、ジョグホイール、ジョグスイッチなどを含んでもよい。
【０１２８】
プロセッサ１４２０は、オートネーミング命令によって、保存部１４４０に保存された少なくとも１つのプログラムを利用して、コンテンツのタイプを決定し、決定されたコンテンツタイプによってオートネーミングを行う。オートネーミングは、図１で説明したように行われる。
【０１２９】
オートネーミングが、状況認知モデルに基づいて行われる場合、プロセッサ１４２０は、コンテンツに対するオートネーミング命令によって、保存部１４４０に保存された少なくとも１つのプログラムを利用して、コンテンツのタイプを決定し、決定されたコンテンツタイプによって、状況認知モデルを決定する。
【０１３０】
そのために、保存部１４４０は、図１５に図示されているようなソフトウェア及び／または命令語セットを保存することができる。図１５に図示されたソフトウェア及び／または命令語セットは、アプリケーションモジュール１５０７に含まれたアプリケーションの種類を除けば、図２に図示されたところと同一である。図２及び図１５に図示されたモジュールの機能が類似しているとしても、実用的アプリケーションでの実質的な機能は、図１の装置１００及び図１４の装置１４００の間に設定された基準要件によって異なる。例えば、オペレーションシステム１５０１の機能は、オペレーションシステム２０１の機能とも異なる。
【０１３１】
図１５を参照すれば、図１５に図示されているようなアプリケーションモジュール１５０７が保存部１４４０に保存される場合、装置１４００でオートネーミングが行われるコンテンツは、ワード文書作成モジュール１５１５によって生成されたワード文書ファイル、電子メールモジュール１５１４によって生成された電子メールファイル、通信部１４５０を介して受信されたコンテンツを含んでもよい。
【０１３２】
プロセッサ１４００は、決定された状況認知モデルに基づいた保存部１４４０に保存された少なくとも１つのプログラムを利用して、コンテンツ生成状況情報を得る。コンテンツ生成状況情報が得られれば、プロセッサ１４２０は、得られたコンテンツ生成状況情報を融合して推論情報を得る。
【０１３３】
例えば、コンテンツが動画であるとき、コンテンツから検出されるパラメータは、コンテンツ生成時間、コンテンツ生成位置、及びコンテンツ内に含まれた客体を含んでもよい。従って、プロセッサ１４２０は、状況認知モデルに基づいて、顔認識モジュール１５１０、ＧＰＳモジュール１５０４及びタイマモジュール１５０９を使用して状況情報を得て、得た状況情報を利用して、推論情報を得ることができる。
【０１３４】
コンテンツがファイルまたはテキストであるとき、コンテンツから検出されるパラメータは、コンテンツ生成時間、コンテンツ生成位置、コンテンツ内に含まれたキーワード（keyword）及びコンテンツ作成者を含んでもよい。従って、プロセッサ１４００は、状況認知モデルに基づいて、ＧＰＳモジュール１５０４、タイマモジュール１５０９及び作成者検出モジュール（図示せず）、キーワード検出モジュール１５１２を利用して状況情報を得て、得た状況情報を利用して、推論情報を得ることができる。前述の作成者検出モジュールは、ログ（log）ファイル情報に登録されたユーザ情報を、作成者情報として検出することができる。
【０１３５】
コンテンツが音源であるとき、コンテンツから検出されるパラメータは、コンテンツ生成時間、コンテンツ生成位置、コンテンツに係わるアーティスト、ジャンル、タイトル及びコンテンツ制作者を含んでもよい。従って、プロセッサ１４００は、前記パラメータによる状況認知モデルに基づいて、保存部１４４０に保存されたモジュールを利用して状況情報を得る。コンテンツが放送コンテンツであるとき、コンテンツから検出されるパラメータは、放送時間、放送回送、放送タイトル、出演者及び制作者を含んでもよい。
【０１３６】
明細書全般において、状況認知モデルに基づいたコンテンツの生成状況に係わる推論情報は、コンテンツから検出された状況情報を融合し、確率的メカニズムによって誘導される上位（high  level）状況情報を意味する。例えば、コンテンツが写真であるとき、コンテンツから検出された状況情報が、春（生成時間）、動物園（生成場所）、ホン・ギルドン（コンテンツ生成者）、ホン・ギルドンの息子（コンテンツに含まれた客体）である場合、春、動物園、ホン・ギルドン及び息子を融合し、それを確率的なメカニズムで推論する場合、「ホン・ギルドン息子、動物園、春の行楽」という状況情報が推論情報として得られる。
【０１３７】
プロセッサ１４２０は、推論情報に基づいて、コンテンツのオートネーミングを行う。すなわち、推論情報が前述のように得られるとき、プロセッサ１４２０は、「息子と共に動物園に春の行楽に行く」とコンテンツについてオートネーミングを行うことができる。
【０１３８】
ディスプレイ部１４３０は、プロセッサ１４２０によって制御され、コンテンツのオートネーミング結果をディスプレイする。ディスプレイ部１４３０は、例えば、図１でのタッチスクリーン１０３のように構成される。
【０１３９】
通信部１４５０は、図１の通信部１０８のように構成され、望ましい実施形態によって、外部機器１４６０とコンテンツを送受信することができる。外部機器１４６０がクラウドサーバである場合、装置１４００は、コンテンツのオートネーミング結果を要請することができる。
【０１４０】
本発明の実施形態によるオートネーミング方法をコンピュータで具現する方法を実行させる命令語を含む一つ以上のプログラムは、コンピュータで読み取り可能な記録媒体に、コンピュータで読み取り可能なコードでもって記録されることが可能である。コンピュータで読み取り可能な記録媒体は、コンピュータシステムによって読み取り可能なデータが保存される全種の保存装置を含む。コンピュータで読み取り可能な記録媒体の例としては、ＲＯＭ（read  only  memory）、ＲＡＭ（random  access  memory）、ＣＤ（compact  disc）−ＲＯＭ、磁気テープ、フロッピー（登録商標）ディスク、光データ保存装置などがある。また、コンピュータで読み取り可能な記録媒体は、ネットワークに連結されたコンピュータシステムに分散され、分散方式で、コンピュータで読み取り可能なコードとして保存されて実行される。
【０１４１】
以上、本発明について、その望ましい実施形態を中心に説明した。本発明が属する技術分野で当業者は、本発明が、本発明の本質的な特性から外れない範囲で変形された形態で具現されるということを理解することができるであろう。従って、開示された実施形態は、限定的な観点ではなく、説明的な観点から考慮されなければならない。本発明の範囲は、前述の説明ではなく、特許請求の範囲に示されており、それと同等な範囲内にある全ての差異は、本発明に含まれたものであると解釈されなければならないのである。
【図１】
2015522863.tif 000003
【図２】
2015522863.tif 000004
【図３】
2015522863.tif 000005
【図４】
2015522863.tif 000006
【図５】
2015522863.tif 000007
【図６】
2015522863.tif 000008
【図７Ａ】
2015522863.tif 000009
【図７Ｂ】
2015522863.tif 000010
【図８】
2015522863.tif 000011
【図９】
2015522863.tif 000012
【図１０】
2015522863.tif 000013
【図１１】
2015522863.tif 000014
【図１２】
2015522863.tif 000015
【図１３】
2015522863.tif 000016
【図１４】
2015522863.tif 000017
【図１５】
2015522863.tif 000018
【国際調査報告】
2015522863.tif 000019
2015522863.tif 000020